(57)【要約】【課題】  鉄道通信指令システムにおいては、各駅務室や駅構内に設置されている指令電話子機の故障による誤発信により、通信指令室に設置されている指令操作盤に誤着信動作を繰り返す。このため、他の正常に動作している指令電話子機からの着信応答操作の妨げとなり、指令業務運用に支障が生ずる場合があった。【解決手段】  本発明を採用した鉄道通信指令システムは、指令制御装置へ指令電話子機着信自動停止機能パラメータを設定することにより誤着信を識別できるため、監視時間及び指令電話機子機の回線閉結回数の監視を行い、規定の時間内に規定の回線閉結回数が検出された場合、自動的に着信を停止できる。また、指令電話子機着信自動停止状態時に、監視時間内に回線閉結が検出されなくなった場合に自動的に指令電話子機着信停止状態を解除することを特徴とする。【選択図】  図１
2013026866.tif 000002
【特許請求の範囲】
【請求項１】
第１の端末と第２の端末との間の通信を制御する通信制御装置であって、制御部と、誤着信判定パラメータを格納する記憶部と、前記第1の端末と前記第２の端末とのインタ
ーフェースを備え、前記制御部は、前記第1の端末からの着信を検出した場合、前記第
２の端末へ着信を通知し、前記第1の端末からの誤着信を検出した場合、前記第２の端
末へ着信停止を通知することを特徴とする通信制御装置。
【請求項２】
前記記憶部に格納された誤着信判定パラメータは誤着信監視期間と誤着信判定条件であり、前記制御部は、前記誤着信監視期間内に前記第1の端末から着信が前記誤着信判定
条件を満たした場合、前記第２の端末へ着信停止を通知することを特徴とする請求項１記載の通信制御装置。
【請求項３】
前記誤着信判定条件は誤着信判定回数であり、
前記制御部は、前記誤着信監視期間内に前記第１の端末からの着信回数と前記誤着信判定条件である誤着信判定回数を比較し、前記端末からの着信回数が前記誤着信判定回数以上である場合は、前記第２の端末へ着信停止を通知することを特徴とする請求項１又は請求項２記載の通信制御装置。
【請求項４】
前記誤着信判定条件は誤着信判定時間であり、前記制御部は、前記誤着信監視期間内に前記第1の端末からの着信時間と前記誤着信判定条件である誤着信判定時間を比較し、
前記端末からの着信時間が前記誤着信判定時間以上である場合は、前記第２の端末へ着信停止を通知することを特徴とする請求項１又は請求項２記載の通信制御装置。
【請求項５】
前記制御部は、前記第２の端末へ着信停止を通知した後、一定期間誤着信が判定されない場合、前記第２の端末へ着信停止解除を通知することを特徴とする請求項１乃至請求項４記載の通信制御装置。
【請求項６】
第1の端末と第２の端末との間の通信を制御部が制御する通信制御方法であって、前
記制御部は、前記第1の端末からの着信を検出した場合、前記第２の端末へ着信を通知
し、予め定められた誤着信監視期間内に、前記第1の端末から前記第２の端末への着信
回数が予め定められた誤着信判定回数を上回ったか否かを判定し、前記着信回数が予め定められた前記誤着信判定回数を上回った場合、前記第1の端末から前記第２の端末への
着信は誤着信であると判定し、前記第２の端末への着信を停止することを特徴とする通信制御方法。
【発明の詳細な説明】
【技術分野】
【０００１】
本発明は、鉄道通信システムにおいて、通信指令室に設置された指令操作盤から各駅務室や駅構内に設置された指令電話子機に対する一斉指令通報やグループ指令通報や、指令電話子機からの着信を制御する通信制御装置及び通信制御方法に関する。
【背景技術】
【０００２】
本技術分野の背景技術として、特開平１０−２３３８３８号公報（特許文献１）がある。
これによると、一般電話を直通回線（ホットライン設定）へ容易に設定や解除する技術の開示がある。また、特開平４−３６９７９９号公報（特許文献２）では、直通回線の専用電話から指令卓（専用電話からの着信を集中で受け付ける端末）等に通報するときに、指令卓等が所定時間内に応答しない場合、通報先を構内放送装置に接続替えを行い通報する技術の開示がある。
【先行技術文献】
【特許文献】
【０００３】
【特許文献１】特開平１０−２３３８３８号公報
【特許文献２】特開平４−３６９７９９号公報
【発明の概要】
【発明が解決しようとする課題】
【０００４】
上記、従来の技術においては、所定の電話端末からの誤着信についての対応については言及されていない。例えば、鉄道通信指令システムにおいては、各駅務室や駅構内に設置されている指令電話子機の故障による誤発信（或いは、回線短絡やショートによる工事不具合発生時）により、通信指令室に設置されている指令操作盤に誤着信動作を繰り返す
（指令員による指令操作盤の着信応答操作により、無音等の異常判定後一旦回線を開放しても、再度着信応答操作を繰り返す）。このため、他の正常に動作している指令電話子機からの着信応答操作（指令受信）の妨げとなり、指令業務運用に支障が生ずる場合がある。
【０００５】
本発明は、これら鉄道通信指令システムに関する問題点を解決し、指令電話子機の誤着信を識別して自動的に着信を無効化（停止）することを目的とする。更に、誤発信が復旧した場合（指令電話子機故障復旧又は工事不具合復旧）、自動的に無効化していた指令電話子機着信を有効（停止解除）とすることを目的とする。
【課題を解決するための手段】
【０００６】
課題を解決するための本発明の通信制御装置は、第１の端末と第２の端末との間の通信を制御する通信制御装置であって、制御部と、誤着信判定パラメータを格納する記憶部と、
前記第1の端末と前記第２の端末とのインターフェースを備え、前記制御部は、前記第1
の端末からの着信を検出した場合、前記第２の端末へ着信を通知し、前記第1の端末からの誤着信を検出した場合、前記第２の端末へ着信停止を通知することを特徴とする。
【０００７】
また、前記記憶部に格納された誤着信判定パラメータは誤着信監視期間と誤着信判定条件であり、前記制御部は、前記誤着信監視期間内に前記第1の端末から着信が前記誤着
信判定条件を満たした場合、前記第２の端末へ着信停止を通知することを特徴とする。
【０００８】
前記記誤着信判定条件は誤着信判定回数であり、前記制御部は、前記誤着信監視期間内に前記第１の端末からの着信回数と前記誤着信判定条件である誤着信判定回数を比較し、前記端末からの着信回数が前記誤着信判定回数以上である場合は、前記第２の端末へ着信停止を通知することを特徴とする、
また、前記誤着信判定条件は誤着信判定時間であり、前記制御部は、前記誤着信監視期間内に前記第1の端末からの着信時間と前記誤着信判定条件である誤着信判定時間を比
較し、前記端末からの着信時間が前記誤着信判定時間以上である場合は、前記第２の端末へ着信停止を通知することを特徴とする。
【０００９】
更に、前記制御部は、前記第２の端末へ着信停止を通知した後、一定期間誤着信が判定されない場合、前記第２の端末へ着信停止解除を通知することを特徴とする。
【００１０】
このように、本発明を採用した鉄道通信指令システムは、指令制御装置（指令電話子機と指令操作盤との通話を制御する回線制御装置）へ指令電話子機着信自動停止機能パラメータを設定することにより誤着信を識別できるため、監視時間及び指令電話機子機の回線閉結（ＬＯＯＰ）回数の監視を行い、規定の時間内に規定の回線閉結回数が検出された場合、自動的に着信を停止（指令操作盤への着信鳴動及び着信表示の停止）できる。また、指令電話子機着信自動停止状態時に、監視時間内に回線閉結が検出されなくなった場合に、自動的に指令電話子機着信停止状態を解除することを特徴とする。
【発明の効果】
【００１１】
本発明により、保守運用装置による指令操作盤ボタンから誤着信の指令電話子機回線データの削除を行わなくとも、指令制御装置の指令電話子機着信自動停止機能（指令制御装置の監視機能）により、指令業務が円滑に行えるようになる。
【図面の簡単な説明】
【００１２】
【図１】鉄道通信指令システムの構成例である。
【図２】指令制御装置機能ブロック図である。
【図３】指令操作盤及び指令操作盤盤面ボタン実装イメージ図である。
【図４】指令電話子機着信自動停止機能シーケンスである。
【図５】指令電話子機着信自動停止機能（誤着信判定パラメータＡ）のタイムチャートである
【図６】指令電話子機着信自動停止機能（誤着信判定パラメータＡ及び誤着信判定パラメータＢ）のタイムチャート図である。
【図７】指令電話子機着信自動停止解除機能シーケンスである。
【図８】指令電話子機着信自動停止機能の制御フローである。
【図９】指令制御装置指令電話子機誤着信管理テーブルの動作例イメージ図である。
【図１０】指令制御装置による指令電話子機誤着信機能を指令操作盤で実施した場合の機能シーケンスである。
【発明を実施するための形態】
【００１３】
以下、本発明の実施形態を図面を参照して説明する。
【実施例１】
【００１４】
本実施例では、各駅務室や駅構内に設置の指令電話子機の故障による誤発信時に実施される、指令制御装置の指令電話子機着信自動停止機能について説明する。図１は、本実施形態の鉄道通信指令システムの構成例である。鉄道通信指令システムは、路線毎の指令室に設置された指令操作盤３と、駅務室や駅構内に設置された指令電話子機６との間の発着信通話を制御する指令制御装置１を主装置とし、指令操作盤３から指令電話子機６に対して個別に発信できる他、指令操作盤３から同一路線の複数の指令電話子機６（例えばａ
路線の場合、指令操作盤ａ３から指令電話子機ａ１〜ａｎの全指令電話子機６や、指令電話子機ａ１〜ａｎの指令電話子機６の中から、任意の指令電話子機６）に対してグループ一斉指令通報を行うことができる。
【００１５】
指令操作盤３から発信した場合、指令操作盤３からの発信データを指令操作盤ライン回路２、デジタル専用線トランク４及びデジタル搬送装置８を介して、路線別交換機７のアナログライン回路９に接続された指令電話子機６を呼び出す。なお、デジタル搬送装置８とは、デジタル専用線トランク４のデジタル信号（音声データ及び通話制御信号）を、光モジュールを通信媒体として相手側のデジタル専用線トランク５に伝送する高速通信設備である。また、指令電話子機６の受話器上げを行うと、路線別交換機７に収容されたアナログライン回路９のＬＯＯＰ検出回路によりＬＯＯＰを検出し、指令電話機子機６の受話器上げ情報として路線別交換機７に収容されたデジタル専用線トランク５及び、デジタル搬送装置８、指令制御装置１に接続された指令操作盤ライン回路２を介して指令操作盤１に伝送して着信させる。保守運用装置１０は、指令電話子機着信自動停止機能パラメータとして、誤着信監視期間と、誤着信判定パラメータを予め指令制御装置１に設定する。誤着信監視期間と誤着信判定パラメータは、指令電話子機の誤着信を判定する誤着信監視タイマ処理に用いられ、誤着信監視期間は、着信を監視する期間（時間）を定め、誤着信判定パラメータは、ＬＯＯＰとＬＯＯＰ断による着信回数または、ＬＯＯＰもしくは、ＬＯＯＰ断の継続する時間を定めている。誤着信監視期間と誤着信判定パラメータは、それぞれ、保守運用装置１０より任意に設定することができる。例えば、実際に指令及び列車が運行している時間帯の設定（誤着信判定パラメータと誤着信監視期間）と、夜間等の指令及び列車が運用停止中の設定（誤着信判定パラメータと誤着信監視期間）を分けて柔軟に設定できるものとする。
【００１６】
図２は、指令制御装置１の機能ブロック図である。指令制御装置１は、外部入力電源ＡＣ１００Ｖから指令制御装置１の動作電圧に変換するＡＣ／ＤＣコンバータ１５、ＡＣ／ＤＣコンバータ１５の出力電圧ＤＣ４８Ｖを指令制御装置１に搭載された各種パケージの動作電圧に変換するためのＤＣ／ＤＣコンバータ１６、中央処理装置ＣＣＵ１１、中央処理装置を動作するためのプログラムデータや指令制御装置の構成情報を管理するためのメインメモリＭＭ１２（ＲＯＭ／ＲＡＭ）、通話路制御ユニットＴＳＷ１３及び、保守運用装置１０からの各種データ入力や指令制御装置１の障害出力部を備えた外部入出力装置Ｉ／Ｏ１７を備え、それぞれが共通バス１４を介して機能する。
【００１７】
図３は、指令操作盤３と指令操作盤面ボタン実装イメージ図である。指令操作盤３は、指令室の卓上に埋め込み実装される受話器１８、機能ボタン１９、回線（指令電話子機）収容ボタン２０を備えた左右２チャンネル内蔵の指令用電話端末である。指令電話子機６の受話器上げにより、指令操作盤盤面の回線ボタン部２２（名称：ａ１駅長室）が着信表示すると同時に着信音が鳴動し、指令操作盤３の受話器を上げることにより、指令電話子機６との通話を行うことができる。また、指令操作盤３の機能ボタン１９は指令電話子機６からの着信を、回線単位に任意に停止するための子機着信停止ボタン２１を兼ね備えている。
【００１８】
図４は、指令電話子機着信自動停止機能シーケンスである。まず、指令電話子機より通常の発信を行う場合を説明する。指令電話子機の受話器上げによるＬＯＯＰ（Ｋ１）を、路線別交換機に収容のアナログライン回路が着信検出した情報を最終的に指令制御装置（Ｋ２）が、指令操作盤の指令電話子機回線ボタン部（ａ１駅長室）に着信表示赤点滅及び指令操作盤着信鳴動を行う。その後、指令電話子機の受話器置きによるＬＯＯＰ断（Ｋ５）を指令制御装置のアナログライン回路が検出して、指令電話子機回線ボタン部（ａ１駅長室）が消灯する。以上のように、上記（Ｋ１）〜（Ｋ５）は指令電話子機発信直後の指令電話子機切断処理（指令操作盤が応答する前に指令電話子機側の話者が受話器置きを行い、途中放棄したことによる回線切断）である。
【００１９】
次に、再度指令電話子機のＬＯＯＰ（Ｋ６）を指令制御装置のアナログライン回路が着信検出（Ｋ７）し、指令制御装置が、指令操作盤の指令電話子機回線ボタン部（ａ１駅長室）に着信表示赤点滅及び指令操作盤着信鳴動を行う。指令電話子機からの正常着信動作の場合は、指令操作盤の応答操作（指令操作盤の受話器を上げて、着信表示中の指令電話
機子機回線ボタン部（ａ１駅長室）を押下する）により、指令電話機子機回線ボタン部
（ａ１駅長室）が応答点灯状態となる。指令制御装置の応答検出（Ｋ１０）により、指令操作盤と指令電話機が通話状態となる。その後、終話する場合は、指令操作盤の受話器置き（回線切断）により、指令制御装置が指令電話子機に対して切断ビジートーン（ＢＴ）（Ｋ１１）を送出し、それを聞いた指令電話子機側の話者の受話器置きによるＬＯＯＰ断（Ｋ１２）により、通話を復旧する。以上のように、（Ｋ６）〜（Ｋ１２）は指令電話子機発信後、指令操作盤が応答することにより通話状態を形成後、指令操作盤による切断処理である。
【００２０】
次に、指令電話子機の故障により誤発信が発生した（或いは、回線短絡やショートに
よる工事不具合の発生）場合について説明する。指令電話子機の故障による誤発信時は、ＬＯＯＰ及びＬＯＯＰ断が繰り返し行われる（Ｋ１３）。指令制御装置は、指令電話子機着信自動停止機能パラメータである、誤着信監視期間と誤着信判定パラメータにより、誤着信監視期間内のＬＯＯＰとＬＯＯＰ断の回数を誤着信判定パラメータと比較判定する誤着信監視タイマ判定処理を行う（Ｋ１６）。誤着信監視期間内に誤着信判定パラメータで定められた回数以上のＬＯＯＰ及びＬＯＯＰ断を繰り返した場合、指令制御装置はその呼を異常発信と判定し（Ｋ１７）、異常回線収容位置情報と異常回線着信停止メッセージを指令操作盤に送出する（Ｋ１８）。指令操作盤では、異常回線着信停止メッセージの受信により、盤面の子機着信停止ボタンが自動的に数秒緑点滅後に緑点灯に切り替わり、指令電話子機誤発信回線（ａ１駅長室）が着信自動停止状態となり、着信表示及び鳴動中の指令電話子機誤発信回線（ａ１駅長室）が消灯し着信鳴動も停止する。尚、指令電話子機誤発信回線（ａ１駅長室）の指令電話子機着信自動停止状態になる以前に、指令員が子機着信停止ボタンを押下することにより、指令電話子機誤発信回線を強制的に着信停止することも可能である。以上のように、上記（Ｋ１３）〜（Ｋ１８）は指令電話子機故障による誤発信時のＬＯＯＰ及びＬＯＯＰ断繰り返し後の指令制御装置誤着信監視タイマ異常判定処理である。
【００２１】
図５は、指令電話子機着信自動停止機能のタイムチャートである。まず、図５の上部のタイムチャートについて説明する。指令電話子機の故障による誤発信（或いは、回線短絡やショートによる工事不具合発生時）により、指令制御装置のアナログライン回路がＬＯＯＰを検出し、指令操作盤の指令電話子機回線ボタン部に着信表示赤点滅及び指令操作盤着信鳴動を行う（誤着信鳴動）。この後、指令員の指令操作盤の着信応答操作によりＬＯＯＰ断となっても、指令電話子機の故障は解消しておらず、誤発信を続けているので、再度指令制御装置のアナログライン回路がＬＯＯＰを検出し、誤着信鳴動を繰り返す。指令制御装置は、予め保守運用装置により指令電話子機着信自動停止機能パラメータとして、誤着信監視期間と誤着信判定パラメータが設定されている。この誤着信判定パラメータは、予め設定された誤着信監視期間内の着信回数の上限を定めたものであり、ここでは誤着信判定パラメータＡとして３回が設定されているものとする。
【００２２】
予め設定された誤着信監視期間において、ＬＯＯＰによる着信鳴動とＬＯＯＰ断によ
る着信鳴動停止を１回の着信としてカウントする。ここでは、２回の着信が発生したが、誤着信判定パラメータＡにより定められている３回の着信回数を超えていないので、指令制御装置はその呼を正常発信と判定する。
【００２３】
次の誤着信監視期間では、３回の着信が発生しており、これは誤着信判定パラメータ
Ａにより定められている３回以上の着信であるので、指令制御装置は、その呼は誤着信であり異常発信と判定する。指令制御装置は異常発信と判定した場合、着信自動停止を行う。
【００２４】
図５の下段のタイムチャートは、指令制御装置による着信自動停止後、誤着信監視期
間内にＬＯＯＰとＬＯＯＰ断による着信が行われず、指令電話子機が正常動作に復旧した状態を示している。指令制御装置は、誤着信監視期間内にＬＯＯＰ検出を行なわなかった場合に、指令電話子機が正常動作に復旧したと判断する。その後、指令制御装置は指令電話子機着信自動停止状態の解除を行う。尚、この場合の誤着信監視期間は、異常発信を判定する誤着信監視期間と異なる長さの期間に設定しても良い。
【００２５】
具体的には、図５の指令電話子機着信自動停止機能のタイムチャートの場合、誤着信監視期間内に３回以上指令電話子機のＬＯＯＰ及びＬＯＯＰ断を繰り返した場合、指令制御装置は指令電話子機の誤着信と判定し、指令電話子機からの着信を自動で停止する。上記の実施例を応用して、例えば、指定の指令電話子機による工事及び保守作業が発生する場合、指令電話子機のＬＯＯＰ及びＬＯＯＰ断（受話器上げ及び受話器置き）を規定の回数以上繰り返して、指令電話機側のみの操作により、指令電話子機着信自動停止状態にすることが可能となり、指令員への工事及び保守作業の事前連絡を行うこと無く、又、指令員による指令電話子機着信停止回線の任意設定を行わずに指令電話子機着信を停止することができるため、指令及び保守業務を円滑に行うことが可能である。
【００２６】
図６は、図５で説明した指令電話子機着信自動停止機能とは異なり、誤着信判定パラメータＡに加え、誤着信判定パラメータＢを用いた指令電話子機着信自動停止機能のタイムチャートである。ここで、誤着信判定パラメータＢは、予め指令制御装置が保守運用装置によって設定された誤着信判定パラメータであり、誤着信判定パラメータＢはある一定の時間を設定する。ここでは、誤着信判定パラメータＢとして５分が設定されている。図５の説明と同様に、誤着信判定パラメータＡには３回が設定されているとする。まず、誤着信監視期間内に２回のＬＯＯＰとＬＯＯＰ断の繰り返しによる着信が発生したとする。この時点では、誤着信判定パラメータＡにて定められている３回の着信鳴動回数を超えていないので、指令制御装置はその呼を正常発信と判定する。
【００２７】
次の誤着信監視期間において、指令電話子機の故障による誤発信（或いは、回線短絡
やショートによる工事不具合発生時）が行われ、指令制御装置のアナログライン回路がＬＯＯＰを検出することにより着信鳴動が行われる。このとき、指令員が指令操作盤の着信応答操作をしない等により、誤着信監視期間の測定期間内の誤着信判定パラメータＢにより定められた５分間以上の期間ＬＯＯＰ断とならない場合、指令制御装置は、その呼は誤着信であり異常発信と判定する。このようなＬＯＯＰ状態の継続は、例えばアナログ２Ｗの指令電話子機の片線がＧＮＤにショートしてしまったような場合や、指令制御装置の障害により誤ってＬＯＯＰ継続と判断してしまうような場合が挙げられる。
【００２８】
次に、各駅務室や駅構内に設置の指令電話子機の故障による誤発信が復旧した場合に、指令制御装置の指令電話子機着信自動停止状態を自動で解除する機能を説明する。図７は、
指令電話子機着信自動停止解除機能シーケンスである。指令電話子機の故障による誤発信時は、ＬＯＯＰ及びＬＯＯＰ断が繰り返し行われる（Ｋ１）。指令制御装置は、誤着信監視期間内のＬＯＯＰとＬＯＯＰ断の回数を誤着信判定パラメータと比較判定する誤着信監視タイマ判定を行う（Ｋ２）。誤着信監視期間内に規定の回数以上のＬＯＯＰ及びＬＯＯＰ断を繰り返した場合、指令制御装置はその呼を異常発信と判定し（Ｋ５）、指令制御装置は、異常回線収容位置情報と異常回線着信停止メッセージを指令操作盤に送出する（Ｋ
６）。指令操作盤は、異常回線着信停止メッセージの受信により盤面の子機着信停止ボタンが自動的に緑点滅から緑点灯に切り替わり、指令電話子機誤発信回線の指令電話子機着信自動停止状態となり、着信表示及び鳴動中の指令電話子機誤発信回線（ａ１駅長室）が消灯し、着信鳴動も停止する。
【００２９】
指令制御装置は、誤着信監視タイマ判定以外に指令電話機誤発信の復旧について、誤着信監視期間内に誤着信判定パラメータが定めた一定時間以上のＬＯＯＰ断時間（回線復
旧）を検出し、指令電話子機着信自動停止状態を解除する機能を有している。指令電話子機着信自動停止機能と同様に、予め保守運用装置から指令制御装置に対して誤着信判定パラメータを設定することができる。指令制御装置は、指令電話子機のＬＯＯＰ断（Ｋ７）以降、誤着信判定パラメータにより定められた時間以上のＬＯＯＰ断時間（回線復旧）を検出（Ｋ８）し、指令操作盤に対して自動着信停止解除情報（Ｋ９）を送出する。指令操作盤では、異常回線着信停止メッセージの受信により、盤面の指令電話子機着信停止ボタンが一定時間緑点滅後消灯し、指令電話子機着信停止が自動的に解除される。
【００３０】
その後の指令電話子機発信ＬＯＯＰ（Ｋ１０）を、指令制御装置のアナログライン回路が着信検出（Ｋ１１）することにより、指令操作盤への正常着信状態となる。尚、指令操作盤の指令電話子機着信停止ボタンが点灯中（指令電話子機着信自動停止状態）に、指令員が指令電話子機着信停止ボタンを押下することにより、強制的に手動で指令電話子機着信停止状態を解除することも可能である。以上のように、上記（Ｋ１）〜（Ｋ１２）は子機着信検出後の検出解除処理である。
【００３１】
図８は、指令電話子機着信自動停止機能の制御フローである。指令電話子機から誤発信（工事不具合又は電話機故障等）が発生すると（Ｓ１）、指令及び列車運行時間帯か否かを判定する（Ｓ２）。指令及び列車運行時間帯の場合は、指令制御装置にて第1の指令
電話子機着信自動停止機能パラメータを用いた判定を行い（Ｓ３）、指令及び列車運行時間帯ではない場合は、第２の指令電話子機着信自動停止機能パラメータを用いた判定を行なう（Ｓ４）。ここで、第１の指令電話子機着信自動停止機能パラメータと第２の指令電話子機着信自動停止機能パラメータはそれぞれ、指令制御装置に予め保守管理装置がそれぞれ個別に設定した誤着信判定パラメータと誤着信監視期間を含む。規定の時間内に既定の回数以上のＬＯＯＰ及びＬＯＯＰ断を繰り返した場合、指令制御装置は誤着信監視タイマ判定(Ｓ６)によりその呼を異常発信と判定し、指令操作盤着信自動停止（Ｓ８）状態
となる。また、指令制御装置にて予め指令電話子機着信自動停止パラメータが設定されていない場合は、指令電話子機の誤発信検出により、指令操作盤を呼び続ける（Ｓ５）。指令操作盤が一旦応答して切断しても、指令操作盤の指令電話子機着信停止ボタン（Ｓ７）を行うことにより、強制的に指令電話子機着停止状態にすることが可能であるが、指令操作盤の指令電話子機着信停止ボタン（Ｓ７）を押下しない場合は、再度指令電話子機の誤発信検出により、指令操作盤を呼び続け（Ｓ９）指令操作盤で応答しても無音等により通話不可となる。
【００３２】
（Ｓ２）の判定処理において、第１の指令電話子機着信自動停止機能パラメータと第２の指令電話子機着信自動停止機能パラメータに分けて処理を行う理由は、列車の運行時
間と、運行外時間で判断基準を変えて、より迅速に着信自動停止処理を行うためである。例えば、第１の指令電話子機着信自動停止機能パラメータを用いる運行時間中は、誤着着信監視時間を３０分、誤着信判定パラメータを１０回とし、第２の指令電話子機着信自動停止機能パラメータを用いる運行時間外では、誤着着信監視時間を５分、誤着信判定パラメータを２回とする。これは、運行時間中と運行時間外での発生事象確率の違いによるものであり、運行時間中には通常起こり得ない十分余裕を持った値を設定し誤判定を極力無くすこと優先させ、運行時間外の場合には誤判定してもシステムが受ける影響が少ない為、
障害判定を優先させるような使用形態に対応する為である。このように、保守運用装置による設定については、実際に指令及び列車が運行している時間帯のパラメータ設定値
（各々の監視時間・監視回数）と、夜間等の指令及び列車が運用停止中のパラメータ設定値（各々の監視時間・監視回数）を分けて柔軟にパラメータ値を設定できるものとする。
【００３３】
図９は、指令制御装置における指令電話子機誤着信管理テーブルの動作例イメージ図である。指令電話子機２及び９が異常発信端末の場合、指令制御装置は指令電話子機の発信ＬＯＯＰをアナログライン回路により検出し回線収容位置を判定後、指令電話子機の誤着信監視タイマ判定処理により、異常着信管理テーブルに異常発信端末である指令電話子機２及び９を移行し、自動着信停止回線として登録するイメージを表している。
【実施例２】
【００３４】
図１０は、図４の指令制御装置による指令電話子機着信自動停止機能の代わりに、指令操作盤により指令電話子機着信自動停止機能を実現するための機能シーケンス図である。指令操作盤には、予め指令電話子機着信自動停止機能パラメータとして、誤着信監視期間と誤着信判定パラメータが設定されている。指令電話子機の故障による誤発信時は、ＬＯＯＰ及びＬＯＯＰ断が繰り返し行われる（Ｋ１）。指令操作盤は、指令電話子機着信自動停止機能パラメータである、誤着信監視期間と誤着信判定パラメータにより、誤着信監視期間内のＬＯＯＰとＬＯＯＰ断の回数を誤着信判定パラメータと比較判定する誤着信監視タイマ判定処理を行う（Ｋ４）。誤着信監視期間内に誤着信判定パラメータで定められた回数以上のＬＯＯＰ及びＬＯＯＰ断を繰り返した場合、指令操作盤は誤着信監視タイマ異常判定処理（Ｋ５）により、指令操作盤盤面の子機着信停止ボタンを自動的に数秒緑点滅後緑点灯に切り替え、指令電話子機誤発信回線（ａ１駅長室）が着信自動停止状態となり、着信表示及び鳴動中の指令電話子機誤発信回線（ａ１駅長室）が消灯し着信鳴動も停止する。尚、指令電話子機誤発信回線（ａ１駅長室）の指令電話子機着信自動停止状態になる以前に、指令員が子機着信停止ボタンを押下することにより、指令電話子機誤発信回線を強制的に着信停止することも可能である。以上のように、上記（Ｋ１）〜（Ｋ５）は指令電話子機故障による誤発信時（ＬＯＯＰ及びＬＯＯＰ断繰り返し後の指令操作盤誤着信監視タイマ異常判定処理である。
【符号の説明】
【００３５】
１  指令制御装置
２  指令操作盤ライン回路（指令制御装置収容）
３  指令操作盤
４  デジタル専用線トランク（指令制御装置収容）
５  デジタル専用線トランク（路線別交換機収容）
６  指令電話子機
７  路線別交換機
８  デジタル搬送装置
９  アナログライン回路（路線別交換機収容）
１０  保守運用装置（メンテナンスＰＣ）
１１  中央処理装置（ＣＣＵ）
１２  メインメモリ（ＭＭ）
１３  通話路制御ユニット（ＴＳＷ）
１４  共通バス
１５  ＡＣ／ＤＣコンバータ
１６  ＤＣ／ＤＣコンバータ
１７  外部入出力装置Ｉ／Ｏ
１８  指令操作盤受話器
１９  機能ボタン
２０  回線（指令電話子機）収容ボタン
２１  子機着信停止ボタン
２２  ａ１駅長室回線収容ボタン
【図１】
2013026866.tif 000003
【図２】
2013026866.tif 000004
【図３】
2013026866.tif 000005
【図４】
2013026866.tif 000006
【図５】
2013026866.tif 000007
【図６】
2013026866.tif 000008
【図７】
2013026866.tif 000009
【図８】
2013026866.tif 000010
【図９】
2013026866.tif 000011
【図１０】
2013026866.tif 000012